【事件の表示】
　平成１１年特許願第３１２６２７号「情報処理装置、情報処理方法およびコンピュータ読み取り可能なプログラムを格納した記憶媒体」拒絶査定不服審判事件〔平成１３年　３月１６日出願公開、特開２００１−　６７３４７〕について、次のとおり審決する。
【結　論】
　本件審判の請求は、成り立たない。
【理　由】
１．手続の経緯
　本願は、平成１１年１１月２日（優先権主張　平成１１年６月２３日）の出願であって、平成１７年１２月８日付けで拒絶理由通知がなされ、平成１８年２月１３日付けで手続補正がなされたが、平成１９年３月１６日付けで拒絶理由通知がなされ、同年５月２１日付けで手続補正がなされたところ、同年９月３日付けで最後の拒絶理由通知がなされ、同年１１月１２日付けで手続補正がなされたが、同年１１月１２日付けの手続補正は同年１２月２１日付けで却下されるとともに同日付けで拒絶査定がなされ、これに対し、平成２０年２月７日に拒絶査定不服審判の請求がなされるとともに、同年３月１０日付けで手続補正がなされたものである。
　
２．平成２０年３月１０日付けの手続補正についての補正却下の決定
［補正却下の決定の結論］
　平成２０年３月１０日付けの手続補正を却下する。
　
［理由］
（１）補正後の請求項１に係る発明
　本件手続補正により補正された特許請求の範囲の請求項１の記載は、次のとおりのものである。
「【請求項１】アプリケーションから印刷出力される文書データに基づいてプリンタドライバによる印刷データの生成までの一連の処理中に、該文書データの印刷プレビューを表示制御する情報処理装置であって、
　前記アプリケーションから印刷出力される文書データに係る描画データを受け取り、中間コードからなるスプールファイルを生成する中間コード生成手段と、
　前記プリンタドライバの印刷設定画面を介して設定されている印刷設定を取得する取得手段と、
　印刷装置に対して前記フィニッシングの位置情報を含むデバイス情報を要求するデバイス情報要求手段と、
　前記デバイス情報要求手段による要求に応じて、前記印刷装置から前記デバイス情報を取得するデバイス情報取得手段と、
　前記中間コード生成手段により生成された文書データに係る中間コードに基づく描画データと、前記取得手段により取得された印刷設定で指定されているフィニッシング機能が前記印刷装置において施される位置を示す前記デバイス情報により特定された位置情報とに基づいて、中間コードに基づいて描画される描画データの位置と前記フィニッシングの位置の重なりがあるか判定する判定手段と、
　前記文書データに係る中間コードと前記フィニッシングの位置情報とに基づいて、印刷プレビュー画像を生成するプレビュー画像生成手段と、
　前記判定手段により描画データの位置とフィニッシングの位置の重なりがあると判定される場合に、描画の重なりがある旨の警告表示を行う警告表示手段と、
　前記プレビュー画像生成手段による印刷プレビュー画像の表示が行われた後に印刷指示がなされると、前記スプールファイルの中間コードを読み出して、前記印刷装置で解釈可能な印刷データを生成する印刷データ生成手段と、
を備え、
　前記デバイス情報取得手段は、前記判定手段による判定前に前記デバイス情報を取得することを特徴とする情報処理装置。」
　
　一方、本件手続補正前の特許請求の範囲の請求項１及び２の記載は、次のとおりのものである。
「【請求項１】　アプリケーションから印刷出力される文書データに基づいてプリンタドライバによる印刷データの生成までの一連の処理中に、該文書データの印刷プレビューを表示制御する情報処理装置であって、
　前記アプリケーションから印刷出力される文書データに係る描画データを受け取り、中間コードからなるスプールファイルを生成する中間コード生成手段と、
　前記プリンタドライバの印刷設定画面を介して設定されている印刷設定を取得する取得手段と、
　前記中間コード生成手段により生成された文書データに係る中間コードと、前記取得手段により取得された印刷設定で指定されているフィニッシング機能であり、印刷装置においてフィニッシング処理されるフィニッシングの位置情報とに基づいて、中間コードに基づいて描画される描画データの位置と前記フィニッシングの位置の重なりがあるか判定する判定手段と、
　前記文書データに係る中間コードと前記フィニッシングの位置情報とに基づいて、印刷プレビュー画像を生成するプレビュー画像生成手段と、
　前記判定手段により描画データの位置とフィニッシングの位置の重なりがあると判定される場合に、描画の重なりがある旨の警告表示を行う警告表示手段と、
　前記プレビュー画像生成手段による印刷プレビュー画像の表示が行われた後に印刷指示がなされると、前記スプールファイルの中間コードを読み出して、前記印刷装置で解釈可能な印刷データを生成する印刷データ生成手段と、
を備えることを特徴とする情報処理装置。
　　【請求項２】　前記印刷装置に対して前記フィニッシングの位置情報を含むデバイス情報を要求するデバイス情報要求手段と、
　前記デバイス情報要求手段による要求に応じて、前記印刷装置から前記デバイス情報を取得するデバイス情報取得手段を更に有することを特徴とする請求項１記載の情報処理装置。」
　
　よって、本件手続補正後の上記請求項１に係る発明は、実質的に、補正前の請求項２が引用する請求項１における「前記中間コード生成手段により生成された文書データに係る中間コードと、前記取得手段により取得された印刷設定で指定されているフィニッシング機能
であり、印刷装置においてフィニッシング処理されるフィニッシングの
に基づく描画データ
が前記印刷装置において施される位置を示す前記デバイス情報により特定された
　そこで、本件手続補正後の上記請求項１に係る発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
（２）引用例及び周知例
　原査定の拒絶の理由に引用された特開平６−２１９６２９号公報（以下、「引用例１」という。）、特開平１１−１３６５２８号公報（以下、「引用例２」という。）、及び、平成１９年１２月２１日付け補正の却下の決定において周知例として引用された特開平１０−１７７４６３号公報（以下、「周知例１」という。）、特開平９−１４１９８２号公報（以下、「周知例２」という。）、特開平７−３２５６９３号公報（以下、「周知例３」という。）、特開平１０−２６９０４８号公報（以下、「周知例４」という。）には、それぞれ、図面とともに次の事項が記載されている。
　
（引用例１）
Ａ．「【請求項１】  画像情報ぺージ領域内の画像情報を検出する検出手段と、
この検出手段によって検出された前記画像情報から画像形成対象となる用紙に対する綴じ位置を認識する認識手段と、
この認識手段によって認識された綴じ位置領域内での画像情報の有無を確認する確認手段と、
この確認手段により画像情報の存在が確認されたとき、綴じ位置に対する画像情報の不適合状態を回避するリカバリー手段と、を備えた綴じ位置対応の画像形成装置。
【請求項２】  前記リカバリー手段が、警告表示の実行または画像情報に対する画像形成動作の中断のいずれか一方の動作を行わせるように設定されている請求項１記載の綴じ位置対応の画像形成装置。」
　
Ｂ．「【０１９４】
４．レイアウト判断による画像方向認識
前述のような、文字を切り出して天地を判断する装置では、判断に時間がかかり、リアルタイムな制御はかなりコストがかかる。よって大きなシフトを持つ画像処理装置でなければ実用化は困難である。そこで、簡易的に天地方向を認識する方法として、文字の切り出しを行わず、ページ文字列のレイアウトを判断する方法がある。この方法は文字は横書きで、左側から記述されているものと固定し、文末位置の判断により天地判断を行おうとするものである。」
　
Ｃ．「【０２５８】４．３．４  多数枚原稿時、レイアウト判断に基づき、各出力画像情報の共通コーナー余白部を検出し、ステープル位置決定
多数枚原稿時、レイアウト判断に基づいて各出力画像情報の共通コーナー余白部を検出することにより画像方向を検出し、検出された画像データからステープル位置を決定することが行われる。
　・・・（中略）・・・
【０２６５】・・・（中略）・・・
４．３．７  レイアウト判断に基づく共通コーナー余白データによるステープル
多数枚原稿時、各原稿のレイアウト判断に基づく共通コーナー余白域を検出することによって画像方向を検出し、それぞれの検出された画像データによりステープル位置を決定する画像形成装置において、決定されたステープル位置に画像が存在するとき、
ａ）コピー動作を中断し、警告表示を操作部に表示する
ｂ）コピー動作を続行し、ステープルを禁止する
ｃ）画像処理によりシフト・変倍（縮小）等を行う
ｄ）ステープル位置を変更する
ｅ）ステープルモードを自動的に解除する（デフォルト時）
等により、ステープルが画像内にかからないようにし、ステープルによりコピー原稿が傷まないようにすることが行われる。
【０２６６】以下、その内容について説明する。コピーの中断および警告表示出力の動作手順は図６２と同様である。作像続行およびステープル禁止の動作手順は図７１と同様である。画像処理によりシフト・変倍（縮小）等を行うときの動作手順は図７２と同様である。ステープル位置の変更を行うときの動作手順は図７３と同様である。ステープルモードを自動的に解除する（デフォルト時）ときの動作手順は図７１と同様である。また、警告表示内容は図７７と同じである。これらの処理は両面画像形成（両面複写）を対象とした場合においても有効である。
【０２６７】以上のように、決定されたステープル位置に画像が存在するとき、コピー動作の停止・警告表示、画像のシフト・変倍、ステープル位置変更、ステープルモード自動解除等をすることにより、ステープルモードにおいて、ステープルによる画像の傷みを防ぐことができる。」
　
　上記Ｂを参照すると、画像の天地方向を認識するために、ページ文字列のレイアウトを判断していることから、上記画像は、文書データに係る画像であるといえる。
　
　上記Ｃを参照すると、画像形成装置は原稿のコピー動作を行うことが示さている。原稿のコピー動作を行うためには、読込んだ画像情報を印刷する必要があることから、画像形成装置は、何らかの印刷装置を備え、読込んだ画像情報をこの印刷装置で解釈可能な印刷データを生成する手段を備えているといえる。
　
　よって、上記Ａ〜Ｃの記載及び関連する図面を参照すると、引用例１には、次の発明が記載されているものと認められる。（以下、「引用例１記載の発明」という。）
「文書データに係る画像情報を検出する検出手段と、
　この検出手段によって検出された前記画像情報から画像形成対象となる用紙に対する綴じ位置を認識する認識手段と、
　この認識手段によって認識された綴じ位置領域内での前記画像情報の有無を確認する確認手段と、
　この確認手段により前記画像情報の存在が確認されたとき、警告表示を行うリカバリー手段と、
　前記画像情報に基づいて、印刷装置で解釈可能な印刷データを生成する手段と、
　を備えた画像形成装置。」
　
（引用例２）
Ｄ．「【００４０】本発明は、図２で示すプリンタとホストコンピュータからなる印刷システムを前提としているが、更に図３に示すように、アプリケーションか出力された印刷データを一旦中間コードデータでスプールするシステムをも前提としている。
【００４１】図３は、図２のシステムを拡張したもので、グラフィックエンジン２０２からプリンタドライバ２０３へ印刷命令を送る際に、一旦中間コードからなるスプールファイル３０３を生成する構成をとる。
【００４２】図２のシステムでは、アプリケーション２０１が印刷処理から開放されるのは、プリンタドライバ２０３がグラフィックエンジン２０２からのすべての印刷命令をプリンタの制御コマンドへ変換し終った時点であるのに対し、図３のシステムでは、スプーラ３０２がすべての印刷命令を中間コードデータに変換し、スプールファイル３０３に出力した時点であり、通常、後者の方が短時間で済む。
【００４３】また、図３で示すシステムにおいては、スプールファイル３０３の内容に対して加工することが可能であり、これによりアプリケーションからの印刷データに対して、拡大縮小や、複数ページを１ページに縮小して印刷する等、アプリケーションの持たない機能を実現する事ができる。
【００４４】これらの理由のために、図２のシステムに対し、図３の様に中間コードデータでスプールするように、システムの拡張がなされてきている。なお、印刷データの加工を行うためには、通常プリンタドライバ２０３が提供するウインドウから設定を行い、プリンタドライバ２０３がその設定内容をＲＡＭ２上あるいは外部メモリ１１上に保管する。
【００４５】以下、図３の詳細を説明する。図に示すとおり、この拡張された処理方式では、グラフィックエンジン２０２からの印刷命令をディスパッチャ３０１が受け取る。ディスパッチャ３０１がグラフィックエンジン２０２から受け取った印刷命令がアプリケーション２０１からグラフィックエンジン２０２へ発行された印刷命令の場合には、ディスパッチャ３０１は外部メモリ１１に格納されているスプーラ３０２をＲＡＭ２にロードし、プリンタドライバ２０３ではなくスプーラ３０２へ印刷命令を送付する。スプーラ３０２は受け取った印刷命令を中間コードに変換してスプールファイル３０３に出力する。
【００４６】また、プリンタドライバ２０３に対して設定されている印刷データに関する加工設定をスプーラ３０２はプリンタドライバ２０３から取得しスプールファイル３０３に保存する。なお、スプールファイル３０３は外部メモリ１１上にファイルとして生成するが、ＲＡＭ２上に生成する事も可能である。更にスプーラ３０２は外部メモリ１１に格納されているスプールファイルマネージャ３０４をＲＡＭ２にロードし、スプールファイルマネージャ３０４に対してスプールファイル３０３の生成状況を通知する。その後、スプールファイルマネージャ３０４は、スプールファイル３０３に保存された印刷データに関する加工設定の内容に従い、再度グラフィックエンジン２０２を利用して印刷を行えると判断した際には、外部メモリ１１に格納されているデスプーラ３０５をＲＡＭ２にロードし、デスプーラ３０４に対して、スプールファイル３０３に記述された中間コードの印刷処理を行うように指示する。
【００４７】デスプーラ３０５はスプールファイル３０３に含まれる中間コードをスプールファイル３０３に含まれる加工設定の内容に従って加工し、もう一度グラフィックエンジン２０２経由で出力する。ディスパッチャ３０１がグラフィックエンジン２０２から受け取った印刷命令がデスプーラ３０５からグラフィックエンジン２０２へ発行された印刷命令の場合には、ディスパッチャ３０１はスプーラ３０２ではなく、プリンタドライバ２０３に処理を切り替え、プリンタドライバ２０３はプリンタ制御コマンドを生成し、システムスプーラ２０４経由でプリンタ１５００に出力がなされる。」
　
Ｅ．「【００４９】プリンタドライバ２０３が中間コードをプリンタ制御コマンドに置き換える際もしくは、デスプーラ３０５が中間コードをグラフィックエンジン２０２に置き換える際に、図４に示すフローで処理が行われる。ここでは、カタログ印刷プログラムがプリンタドライバ２０３に実装されている場合について図４のカタログ印刷プログラムの制御を表すフローチャートを基に説明する。デスプーラ３０５に実装されている場合も同様である。
【００５０】まず、プリンタドライバ２０３に実装されているカタログ印刷プログラムはユーザインタフェースからユーザの指定したＮパターンの変換パラメータを取得する（ステップ４０１）。ここで、Ｎパターンの変換パラメータとは、例えば、色調・彩度や明度・コントラストのパラメータである。
【００５１】続いてスッテプ４０２において、Ｎパターンすべての処理が終了したかを管理するカウンタＩを初期化（Ｉ＝１）する。
【００５２】次に、ステップ４０３において、カタログ印刷プログラムは、カウンタＩがＮより大きいかを調べて、すべてのが済んだか判定する。つまりＮパターンの変換パラメータに合わせてＮ回ステップ４０４から４０７の処理を行うのである。
【００５３】スッテプ４０３でカタログ印刷プログラムがまだ変換すべきパターンがあると判断した場合には、スッテプ４０４に処理が進み、カウンタＩ番に相当する変換パラメータを変換ルーチンに設定する。
【００５４】続いて、ステップ４０５の画像データに画像処理を施す処理工程において、ステップ４０４で設定したパラメータを使用し、印刷データに対して変換処理を行う。その変換結果をシステムスプーラ２０４に出力する（ステップ４０６）。そして、ステップ４０７で、カウンタＩをインクリメントし、再びステップ４０３に処理を戻す。ステップ４０３において、カタログ印刷プログラムが全ての処理が終了した、つまり、Ｎパターンのデータ変換パラメータに対し、データ変換処理を行い、それぞれの変換結果をシステムスプーラ２０４に出力したと判断した場合は、システムスプーラ２０４に溜まっている印刷データをプリンタに出力し、印刷終了する。」
　
Ｆ．「【００５７】（第２実施例）また、実施例２でば、ユーザがデータ種別によってデータ変換処理のパラメータを変えたり、あるいはデータ種別によってはデータ変換自体を行わないように指定できる場合について、第１実施例の装置を基に説明する。
【００５８】図9に示すように、プリンタドライバの画面で画面右下のカラー設定のダイアログを選択し、図１０画面に写る。図１０では、カラー調整の対象として、写真等のイメージ画像（ビットマップデータ）、絵等の図形データ、文字等のテキストデータの中から、どのデータ種別に対してパラメータを変換するかを指定できる。もちろん、複数のデータ種別に対してパラメータを変換すると指定することも可能である。
【００５９】この場合、図４のステップ４０５におけるデータ変換処理で単純にデータ変換を行うだけでなく、データ種別によって変換方法を変える必要がある。この処理を図５のカタログ印刷プログラムの制御を表すフローチャートを用いて説明する。」
　
Ｇ．「【００８０】また、本発明のカタログ印刷方法は、表示画面（図１０）にパラメータがデフォルトであるオリジナルのプレビューと、ユーザにより色調整されたパラメータに基づく調整後のプレビューとを縮小画像で表示させている（図１０の左上）。ここでいうオリジナルのプレビューは、もちろん写真サンプルのことであり、パラメータがデフォルト値を使用しているという意味である。このようにパラメータ変更前と変更後のプレビューを同時に表示させることにより、ユーザにパラメータの変化による画像処理の違いを視覚的に理解させることが可能となる効果が得られる。」
　
　上記Ｇを参照すると、カタログ印刷をするために、表示画面にプレビューを表示することが示されており、上記Ｆを参照すると、上記表示画面は、カタログ印刷をするためのパラメータの設定を行う画面であることが示されている。そして、上記Ｅを参照すると、カタログ印刷の制御は、プリンタドライバが行うものであり、このカタログ印刷において、上記設定したパラメータを使用して、中間コードからプリンタ制御コマンドを生成することが示されている。
　したがって、「プリンタドライバ」は、「印刷設定を行うための表示画面にプレビューを表示した後に、該印刷設定に基づいて中間コードからプリンタ制御コマンドを生成」しているといえる。
　
　よって、上記Ｄ〜Ｇの記載及び関連する図面を参照すると、引用例２には、次の発明が記載されているものと認められる。（以下、「引用例２記載の発明」という。）
「アプリケーションから出力される印刷命令を中間コードに変換し、スプールファイルに出力するスプーラと、
　印刷設定を行うための表示画面にプレビューを表示した後に、該印刷設定に基づいて中間コードからプリンタ制御コマンドを生成するプリンタドライバと、
を備えるホストコンピュータ。」
　
（周知例１）
Ｈ．「【００２４】次に、図５を用いて図１に示したクライアントマシン１２の動作について説明する。
【００２５】Ｓ１０１では、指示部２４が利用され、ユーザによってフィニッシングの指定がなされる。これはＳ１０２を介して複数回行われており、例えば２種類のフィニッシングの指定が行われる。Ｓ１０３では、複数の指定のうちある１つのフィニッシング指定に対応するフィニッシングイメージが記憶部２８から取り出される。この場合、Ｓ１０４ではそのフィニッシングイメージのデータ形式がイメージデータの形式であるかあるいはＰＤＬデータの形式であるかが判定されており、ＰＤＬデータの形式であれば、Ｓ１０５においてＰＤＬ解釈部３４が起動して当該データに対するＰＤＬ解釈が実行される。Ｓ１０６では、まだデータが取り出されていないフィニッシング指定があるか否かが判定され、そのようなデータがある場合にはＳ１０３からの各行程が繰り返し実行される。Ｓ１０７では、イメージ合成部３２が起動され生成されたフィニッシングイメージあるいは取り出されたフィニッシングイメージが合成され合成イメージが作成される。Ｓ１０８では表示部２６にそのような合成イメージが表示されることになる。
【００２６】図１に示した実施形態では、クライアントマシン１２があらかじめフィニッシングの種別をデータとしてもっていたが、例えばプリンタ１６あるいはフィニッシャー１８が有する機能をクライアントマシン１２によって自動的に読み取って、その読み取ったデータに基づいて自動的にフィニッシングイメージを生成してもよい。このような構成によれば、ネットワーク上に存在する各種のプリンタに対応でき、人為的な設定に伴う煩雑さを解消できるという利点がある。」
　
（周知例２）
Ｉ．「【００１１】本発明の一実施の形態による文書編集装置の動作は、図１の（Ｂ）に示すような現時点でのマージンパラメータ５１及び印刷データ１Ａを表示手段６の画面上に表示させ（ステップＳ１）、図２に示すように、入力手段１からキー入力によってマージンコマンド１Ｂを入力する（ステップＳ２）。
【００１２】その後、入力手段１から送出されたパンチコマンド１Ｃを検出手段２が検出した場合（ステップＳ３）、図１の（Ｂ）に示すように、用紙８のサイズに応じた余白、印刷データ１Ａの行ピッチ及び文字ピッチを設定するマージンコマンド１Ｂから領域演算手段３がパンチ穴の設定可能なパンチ穴領域６２Ｃを自動的に算出し（ステップＳ４）、この算出されたパンチ穴領域６２Ｃを表示手段６のイメージ表示部６２に表示させ（ステップＳ５）、パンチ穴領域６２Ｃ内の上下左右方向についてセンタリングした位置へ標準のパンチ穴６２Ｂを表示する。」
　
（周知例３）
Ｊ．「【００２７】
【実施例】
〔第１実施例〕図面を参照しながら、本発明の実施例を詳細に説明する。
　・・・（中略）・・・
【００３６】以下、図５に示すフローチャートを参照しながら本発明に係る情報処理システムのプレビュー方法を説明する。
【００３７】図５は本発明に係る情報処理システムのプレビュー方法の第１の実施例を示すフローチャートである。なお、（１）〜（９）は各ステップを示す。
【００３８】まず、処理モードの設定がユーザによる入力装置４からの指示でなされているかを判断する（１）。
【００３９】もし、ステップ（１）において処理モードの設定を行うように指示されていた場合には、処理モードの設定を行う（２）。処理モードの設定は、表示装置３上に表示される図４に示すような領域から、入力装置４によって「印刷時プレビューを行う／行わない」のいずれかを指示する。ここで設定された指示は主記憶装置２に記憶される。
【００４０】また、ステップ（１）において処理モードが「印刷」であると判断された場合には、印刷が指示されたデータを印刷装置５が理解できるプリンタコードに変換し、主記憶装置２上に記憶する（３）。その後、ステップ（２）によって主記憶装置２に記憶された処理モードが図３の（ａ），（ｂ）に示すように「プレビューを行う／行わない」のいずれであるかを判断する（４）。
【００４１】ステップ（４）において、図３の（ａ）に示すように「プレビューを行う」ことが設定されていると判断された場合、ステップ（３）で変換されたプリンタコードを基に、プレビュー用の表示データを作成し、主記憶装置２上に記憶する（５）。
【００４２】その後、表示データを表示装置３上に表示する（６）。この際、表示装置３上には、プレビューイメージとして図６に示すような領域が表示される。この領域から入力装置４により後続処理として、「印刷」または「中止」を図示しないカーソルで指示する（７）。
【００４３】ステップ（７）において「印刷」を指示された場合、ステップ（３）で主記憶装置２上に記憶されたプリンタコードを印刷装置５に転送する（８）。
【００４４】ステップ（７）において「中止」を指示された場合、あるいはステップ（８）の処理を終了した場合、プレビュー表示を終了し（９）、元の処理に戻る。
〔第２実施例〕図６は本発明に係る情報処理システムのプレビュー方法の第２の実施例を示すフローチャートである。なお、（１）〜（９）は各ステップを示す。
【００４５】第１実施例では、図５のステップ（３）において、印刷装置に転送するプリンタコードを生成し、さらにそれを基にプレビュー用データに変換していた。
【００４６】これを、一旦プリンタコードを生成するのではなく、「プレビューを行う」ことが設定されていると判断された場合、印刷を指示されたデータから直接プレビュー用データを作成する（４）。
【００４７】これをプレビュー表示（５）した後、図６のプレビュー領域において「印刷」を指示された場合のみ、すなわち、図６のステップ（３）でプリンタコードを生成する。
【００４８】一方、ステップ（７）で「中止」が指示された場合には、プリンタコードを生成せずプレビューを終了する（９）。」
　
（周知例４）
Ｋ．「【０００１】
【発明の属する技術分野】本発明は、印刷装置が接続されている情報処理装置と、プリンタドライバの機能により表示されているプレビュー画面上でのメニュー表示及び選択に基づく情報処理装置のメニュー選択方法と、プリンタドライバの機能により表示されているメニュー画面上での設定に基づく情報処理装置の印刷出力制御方法とに関するものである。」
　
Ｌ．「【００２２】ステップＳ１００は、図３に示すように、プレビュー画面３００が表示されると、ＣＰＵ１は、画面上のメニューエリア３０２内に、表示データ３０３（表示エリア３０１内）に関するファンクションメニュー３０４と、処理を実行するためのファンクションボタン３０５を表示する。」
　
Ｍ．「【００４７】・・・（中略）・・・　この後、ステップＳ５０９で設定された内容に基づき印刷処理に必要となるスプールファイルの作成を行い、ステップＳ５１０で作成されたスプールファイルを出力装置９に送信することで出力が可能となる。」
　
Ｎ．「【００５９】なお、上記第３及び第４実施形態では、アプリケーションからドキュメントを部分的に続けて印刷しようとしたときの印刷システムおよび印刷システムの印刷制御方法について説明したが、例えば、プリンタドライバが実現できるプレビュー機能でこのような印刷システムおよび印刷システムの印刷制御方法を用意し、プレビュー画面上にて印刷ドキュメントを確認をしながら、出力するドキュメントに対する印刷範囲を詳細に設定することが可能になる。」
　
（３）対比
　本願補正発明と引用例１記載の発明とを対比すると、次のことがいえる。
　
（あ）引用例１記載の発明における「画像情報」は、本願補正発明における「描画データ」に相当するものである。そして、引用例１記載の発明における「検出手段」が検出した「画像情報」に基づいて以降の処理を行っていることから、検出した画像情報を受け取っているといえる。
　よって、引用例１記載の発明における「文書データに係る画像情報を検出する検出手段」と、本願補正発明における「アプリケーションから印刷出力される文書データに係る描画データを受け取り、中間コードからなるスプールファイルを生成する中間コード生成手段」とは、ともに、「文書データに係る描画データを受け取る手段」である点で共通するものである。
　
（い）引用例１記載の発明における「綴じ位置領域」は、本願補正発明における「フィニッシングの位置」に相当するものである。
　そして、引用例１記載の発明において、「綴じ位置領域内での画像情報の有無を確認する」ためには、「画像情報」の位置と「綴じ位置領域」とに重なりがあるかを判定する必要があることから、引用例１記載の発明における「確認手段」と、本願補正発明における「判定手段」とは、ともに、「文書データに係る描画データの位置とフィニッシングの位置の重なりがあるか判定する判定手段」である点で共通するものである。
　
（う）引用例１記載の発明における「この確認手段により画像情報の存在が確認されたとき」とは、「画像情報」の位置と「綴じ位置領域」とに重なりがある場合を意味しており、引用例１の図７７を参照すると、画像の位置と綴じ位置領域とに重なりがある旨の警告表示をすることが示されていることから、引用例１記載の発明における「確認手段により前記画像情報の存在が確認されたとき、警告表示を行うリカバリー手段」は、本願補正発明における「判定手段により描画データの位置とフィニッシングの位置の重なりがあると判定される場合に、描画の重なりがある旨の警告表示を行う警告表示手段」に相当するものである。
　
（え）引用例１記載の発明における「画像情報に基づいて、印刷装置で解釈可能な印刷データを生成する手段」と、本願補正発明における「プレビュー画像生成手段による印刷プレビュー画像の表示が行われた後に印刷指示がなされると、スプールファイルの中間コードを読み出して、印刷装置で解釈可能な印刷データを生成する印刷データ生成手段」とは、ともに、「印刷装置で解釈可能な印刷データを生成する印刷データ生成手段」である点で共通するものである。
　
　上記（あ）〜（え）の事項を踏まえると、本願補正発明と引用例１記載の発明とは、次の点で一致し、また、相違するものと認められる。
　
（一致点）
　本願補正発明と引用例１記載の発明とは、ともに、
「文書データに係る描画データを受け取る手段と、
　文書データに係る描画データの位置とフィニッシングの位置の重なりがあるか判定する判定手段と、
　前記判定手段により描画データの位置とフィニッシングの位置の重なりがあると判定される場合に、描画の重なりがある旨の警告表示を行う警告表示手段と、
　印刷装置で解釈可能な印刷データを生成する印刷データ生成手段と、
を備える情報処理装置。」
である点。
　
（相違点）
　相違点１：本願補正発明は、「アプリケーションから印刷出力される文書データに基づいてプリンタドライバによる印刷データの生成」をしているのに対し、引用例１記載の発明は、「文書データに係る画像情報」に基づいて「印刷データを生成」しているが、アプリケーションから印刷出力される文書データであるとはされておらず、印刷データをプリンタドライバにより生成するともされていない点。
　
　相違点２：「受け取る手段」が、本願補正発明においては、「アプリケーションから印刷出力される文書データに係る描画データを受け取」るとともに、「中間コードからなるスプールファイルを生成する」ことも行う「中間コード生成手段」であるのに対し、引用例１記載の発明における「検出手段」は、文書データに係る画像情報を受け取っているが、アプリケーションから印刷出力される画像情報であるとはされておらず、「中間コードからなるスプールファイルを生成する」ものともされていない点。
　
　相違点３：本願補正発明は、「プリンタドライバの印刷設定画面を介して設定されている印刷設定を取得する取得手段」を有しているのに対し、引用例１記載の発明は、そのような手段を有していない点。
　
　相違点４：本願補正発明は、「印刷装置に対してフィニッシングの位置情報を含むデバイス情報を要求するデバイス情報要求手段」と、「デバイス情報要求手段による要求に応じて、前記印刷装置から前記デバイス情報を取得するデバイス情報取得手段」を有し、「前記デバイス情報取得手段は、判定手段による判定前に前記デバイス情報を取得」しているのに対し、引用例１記載の発明は、そのようなものではない点。
　
　相違点５：「判定手段」が、本願補正発明においては、「中間コード生成手段により生成された文書データに係る中間コードに基づく描画データと、取得手段により取得された印刷設定で指定されているフィニッシング機能が印刷装置において施される位置を示すデバイス情報により特定された位置情報とに基づいて」、重なりがあるか判定しているのに対し、引用例１記載の発明においては、そのようなものではない点。
　
　相違点６：本願補正発明は、「印刷データの生成までの一連の処理中に、文書データの印刷プレビューを表示制御する情報処理装置」であって、「前記文書データに係る中間コードとフィニッシングの位置情報とに基づいて、印刷プレビュー画像を生成するプレビュー画像生成手段」を有しているのに対し、引用例１記載の発明は、そのようなものではない点。
　
　相違点７：「印刷データ生成手段」が、本願補正発明においては、「プレビュー画像生成手段による印刷プレビュー画像の表示が行われた後に印刷指示がなされると、前記スプールファイルの中間コードを読み出して」、印刷データを生成しているのに対し、引用例１記載の発明においては、そのようなものではない点。
　
（４）判断
　そこで、上記相違点１〜７について検討する。
　
（相違点１，２について）
　引用例２記載の発明に見られるように、アプリケーションから出力される印刷命令を中間コードに変換して、スプールファイルに出力し、プリンタドライバが中間コードからプリンタ制御コマンドを生成することは、公知の技術である。
　よって、引用例１記載の発明に引用例２記載の発明を適用して、「アプリケーションから印刷出力される文書データに基づいてプリンタドライバによる印刷データの生成」をするようにするとともに、「受け取る手段」を「アプリケーションから印刷出力される文書データに係る描画データを受け取り、中間コードからなるスプールファイルを生成する中間コード生成手段」とすることは、当業者が容易に想到し得ることである。
　
（相違点３について）
　引用例２記載の発明に見られるように、プリンタドライバが、印刷設定を行うための表示画面を表示し、該印刷設定に基づいてプリンタ制御コマンドを生成することは、公知の技術にすぎず、該公知の技術において、印刷設定に基づいた処理を行うために、印刷設定を取得していることは明らかである。
　また、周知例１，２に見られるように、印刷設定として、フィニッシング機能を指定することは、周知技術にすぎない。
　よって、引用例１記載の発明において、引用例２記載の発明及び上記周知技術を参酌し、「プリンタドライバの印刷設定画面を介して設定されている印刷設定を取得する取得手段」を有するようにすることは、当業者が適宜なし得ることである。
　
（相違点４について）
　フィニッシングの位置に関する情報をどこから取得するかは、必要に応じて適宜決定し得る程度のものにすぎず、周知例１の上記Ｈに記載されているように、プリンタが有する機能を、クライアントマシンが読み取ることにより、フィニッシングの位置情報を含む情報を取得するようにすることは、当業者が適宜なし得ることである。
　したがって、引用例１記載の発明において、上記周知例１記載の事項を参酌し、「印刷装置に対してフィニッシングの位置情報を含むデバイス情報を要求するデバイス情報要求手段」と、「デバイス情報要求手段による要求に応じて、前記印刷装置から前記デバイス情報を取得するデバイス情報取得手段」を有するようにすることは、当業者が適宜なし得ることである。
　そして、上記取得する処理は、取得した情報を使用する処理の前に行う必要があることは明らかであるから、引用例１記載の発明において、「デバイス情報取得手段は、判定手段による判定前に前記デバイス情報を取得」するようにすることは、当然行われる制御にすぎない。
　
（相違点５について）
　引用例２記載の発明に見られるように、印刷命令を中間コードに変換して、スプールファイルに出力し、印刷設定に基づいて中間コードからプリンタ制御コマンドを生成することは、公知の技術にすぎないことから、引用例１記載の発明に引用例２記載の発明を適用したものにおいて、文書データに係る画像情報を中間コードに基づく画像情報とすることは、当業者が適宜なし得ることである。
　また、上記相違点３，４で検討したように、印刷設定として、フィニッシング機能を指定すること、及び、プリンタからフィニッシングの位置に関する情報を読み取ることも、当業者が適宜なし得ることである。
　よって、引用例１記載の発明に引用例２記載の発明を適用することにより、「判定手段」が「中間コード生成手段により生成された文書データに係る中間コードに基づく描画データと、取得手段により取得された印刷設定で指定されているフィニッシング機能が印刷装置において施される位置を示すデバイス情報により特定された位置情報とに基づいて」、描画データの位置とフィニッシングの位置の重なりがあるかを判定するようなものとすることは、当業者が適宜なし得ることである。
　
（相違点６について）
　引用例２記載の発明に見られるように、表示画面にプレビューを表示することは公知の技術である。そして、周知例１，２に見られるように、フィニッシングの位置を表示することは周知技術すぎない。
　よって、引用例１記載の発明において、引用例２記載の発明及び上記周知技術を参酌し、「印刷データの生成までの一連の処理中に、文書データの印刷プレビューを表示制御する情報処理装置」とし、「前記文書データに係る中間コードとフィニッシングの位置情報とに基づいて、印刷プレビュー画像を生成するプレビュー画像生成手段」を有するようなものとすることは、当業者が適宜なし得ることである。
　
（相違点７について）
　周知例３，４に見られるように、印刷を指示されたデータからプレビュー用の表示データを作成し、この表示データを表示装置上に表示した後に印刷を指示することにより、印刷するためのデータを作成することは、周知技術にすぎない。
　よって、引用例１記載の発明に引用例２記載の発明を適用したものにおいて、「印刷データ生成手段」が、「プレビュー画像生成手段による印刷プレビュー画像の表示が行われた後に印刷指示がなされると、前記スプールファイルの中間コードを読み出して」、印刷データを生成するようにすることは、当業者が適宜なし得ることである。
　
（本願補正発明の作用効果について）
　そして、本願補正発明の構成によってもたらされる効果も、引用例１，２記載の発明及び上記周知技術から当業者が容易に予測することができる程度のものであって、格別のものとはいえない。
　
　したがって、本願補正発明は、引用例１，２記載の発明及び上記周知技術に基いて、当業者が容易に発明をすることができたものであるから、特許法第２９条第２項の規定により、特許出願の際独立して特許を受けることができないものである。
　
（５）むすび
　よって、本件手続補正は、平成１８年法律第５５号改正附則第３条第１項によりなお従前の例によるとされる同法による改正前の特許法第１７条の２第５項において準用する同法第１２６条第５項の規定に違反するものであり、特許法第１５９条第１項において読み替えて準用する同法第５３条第１項の規定により却下されるべきものである。
　
３．補正却下の決定を踏まえた検討
（１）本願発明
　平成２０年３月１０日付けの手続補正は、上記のとおり却下されたので、本願の請求項１に係る発明は、平成１９年５月２１日付け手続補正書の特許請求の範囲の請求項１に記載されたとおりの次のものと認める。（以下、「本願発明」という。）
「【請求項１】　アプリケーションから印刷出力される文書データに基づいてプリンタドライバによる印刷データの生成までの一連の処理中に、該文書データの印刷プレビューを表示制御する情報処理装置であって、
　前記アプリケーションから印刷出力される文書データに係る描画データを受け取り、中間コードからなるスプールファイルを生成する中間コード生成手段と、
　前記プリンタドライバの印刷設定画面を介して設定されている印刷設定を取得する取得手段と、
　前記中間コード生成手段により生成された文書データに係る中間コードと、前記取得手段により取得された印刷設定で指定されているフィニッシング機能であり、印刷装置においてフィニッシング処理されるフィニッシングの位置情報とに基づいて、中間コードに基づいて描画される描画データの位置と前記フィニッシングの位置の重なりがあるか判定する判定手段と、
　前記文書データに係る中間コードと前記フィニッシングの位置情報とに基づいて、印刷プレビュー画像を生成するプレビュー画像生成手段と、
　前記判定手段により描画データの位置とフィニッシングの位置の重なりがあると判定される場合に、描画の重なりがある旨の警告表示を行う警告表示手段と、
　前記プレビュー画像生成手段による印刷プレビュー画像の表示が行われた後に印刷指示がなされると、前記スプールファイルの中間コードを読み出して、前記印刷装置で解釈可能な印刷データを生成する印刷データ生成手段と、
を備えることを特徴とする情報処理装置。」
　
（２）引用例
　これに対して、原査定の拒絶の理由に引用された引用例１，２、及び、平成１９年１２月２１日付け補正の却下の決定において周知例として引用された周知例１〜４とその記載事項は、上記２．（２）に記載したとおりである。
　
（３）対比・判断
　本願発明は、上記２．で検討した本願補正発明における「前記中間コード生成手段により生成された文書データに係る中間コード
に基づく描画データ
が前記印刷装置において施される位置を示す前記デバイス情報により特定された
であり、印刷装置においてフィニッシング処理されるフィニッシングの
　
　そうすると、本願発明の構成要件を全て含み、さらに特定の限定を施したものに相当する本願補正発明が、上記２．（４）に記載したとおり、引用例１，２記載の発明及び上記周知技術に基いて、当業者が容易に発明をすることができたものであるから、上記特定の限定を省いた本願発明は、同様に、引用例１、２記載の発明及び上記周知技術に基いて、当業者が容易に発明をすることができたものである。
　
（４）むすび
　以上のとおり、本願発明は、引用例１，２記載の発明及び上記周知技術に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。